(57)【要約】【課題】ロッド等を蓋体に内蔵することをやめて、意匠性並びに機能的及び意匠的な自由度の向上を図る。【解決手段】閉鎖位置で蓋体２を本体１に係止するためのロック機構３は、蓋体２の脚部２２Ａ、２２Ｂに設けられた係止穴２３Ａ、２３Ｂに進入／退出するフック部４Ａ、４Ｂをそれぞれ先端に有するロッド５Ａ、５Ｂと、フック部４Ａ、４Ｂが係止穴２３Ａ、２３Ｂに進入する方向にロッドロッド５Ａ、５Ｂを付勢する付勢部材６と、ロック機構３を解除操作するための操作部材７と、操作部材７に対する操作力をロッド５Ａ、５Ｂとに伝達し、付勢部材６の付勢力に抗して、フック部４Ａ、４Ｂが係止穴２３Ａ、２３Ｂから退出する方向にロッド５Ａ、５Ｂを移動させるリンク部材８とを備えている。ロッド５ＡＡ、５Ｂ、付勢部材６及びリンク部材８が、蓋体２側ではなく本体１側に設けられている。【選択図】図２
2007145236.tif 000002
【特許請求の範囲】
【請求項１】
開口部を有する本体と、
前記開口部を開閉可能に前記本体に支持され、一対の係止穴を有する蓋体と、
前記開口部を閉鎖する位置で前記蓋体を前記本体に係止するためのロック機構とを備えた収納体において、
前記ロック機構は、
各前記係止穴に進入／退出するフック部をそれぞれ先端に有する一対のロッドと、
各前記フック部が各前記係止穴に進入する方向に各前記ロッドを付勢する付勢部材と、
前記ロック機構を解除操作するための操作部材と、
前記操作部材に対する操作力を前記各ロッドに伝達し、前記付勢部材の付勢力に抗して、各前記フック部が各前記係止穴から退出する方向に各該ロッドを移動させるリンク部材とを備え、
各前記ロッド、前記付勢部材及び前記リンク部材が前記本体側に設けられていることを特徴とする収納体。
【請求項２】
前記蓋体は前記本体の裏面付近に延びる一対の脚部を有し、各前記係止穴は各該脚部に設けられるとともに、各前記ロッドは該本体の裏面に設けられていることを特徴とする請求項１記載の収納体。
【発明の詳細な説明】
【技術分野】
【０００１】
本発明は、例えば自動車等の車両のインストルメントパネルに設けられるグラブボックスのような収納体に関する。
【背景技術】
【０００２】
従来、自動車等の車両のインストルメントパネルに設けられるグラブボックスとして、所謂閂ロッドにより蓋体を閉鎖位置に係止するものが知られている（例えば、特許文献１参照）。
【０００３】
この特許文献１に開示されたグラブボックスでは、蓋体の両側面に対向するインストルメントパネルに一対の係止穴が設けられている。そして、このグラブボックスは、各係止穴に進入／退出するフック部をそれぞれ先端に有する一対のロッドと、各フック部が各係止穴に進入する方向に各ロッドを付勢する付勢部材と、ロック機構を解除操作するための操作部材と、操作部材に対する操作力を前記各ロッドに伝達し、前記付勢部材の付勢力に抗して、各フック部が各係止穴から退出する方向に各ロッドを移動させるリンク部材とを備えている。
【０００４】
このグラブボックスによれば、操作部材を操作することで、その操作力がリンク部材を介してロッドに伝わる。このため、付勢部材の付勢力に抗する操作力を付与することで、ロッドを移動させてロッドのフック部を係止穴から退出させ、ロック機構を容易に解除することができる。
【０００５】
しかし、このグラブボックスでは、ロッド、付勢部材及びリンク部材がいずれも蓋体に内蔵されている。このため、ロッドの先端に設けられて係止穴に進入／退出するフック部が蓋体の側面に露出している。したがって、蓋体を開いたときにフック部が見えてしまい、見栄えが良くなかった。また、蓋体が厚くなることから、機能的及び意匠的にも自由度が低下するという問題もあった。
【特許文献１】特開２００３−１３６４７号公報
【発明の開示】
【発明が解決しようとする課題】
【０００６】
本発明は上記実情に鑑みてなされたものであり、前記ロッド等を蓋体に内蔵することをやめて、意匠性並びに機能的及び意匠的な自由度の向上を図った収納体を提供することを解決すべき技術課題とするものである。
【課題を解決するための手段】
【０００７】
上記課題を解決する本発明の収納体は、開口部を有する本体と、前記開口部を開閉可能に前記本体に支持され、一対の係止穴を有する蓋体と、前記開口部を閉鎖する位置で前記蓋体を前記本体に係止するためのロック機構とを備えた収納体において、前記ロック機構は、各前記係止穴に進入／退出するフック部をそれぞれ先端に有する一対のロッドと、各前記フック部が各前記係止穴に進入する方向に各前記ロッドを付勢する付勢部材と、前記ロック機構を解除操作するための操作部材と、前記操作部材に対する操作力を前記各ロッドに伝達し、前記付勢部材の付勢力に抗して、各前記フック部が各前記係止穴から退出する方向に各該ロッドを移動させるリンク部材とを備え、各前記ロッド、前記付勢部材及び前記リンク部材が前記本体側に設けられていることを特徴とするものである。
【０００８】
この収納体では、操作部材を操作することで、その操作力がリンク部材を介してロッドに伝わる。このため、付勢部材の付勢力に抗する操作力を操作部材に付与することで、ロッドを移動させてロッドのフック部を蓋体の係止穴から退出させ、ロック機構を容易に解除することができる。
【０００９】
そして、これらロッド、付勢部材及びリンク部材が蓋体ではなく本体側に設けられている。このため、蓋体を開いたときに、ロッドの先端に設けられて係止穴に進入／退出するフック部が蓋体の側面に露出するようなことがなく、意匠性が向上する。また、蓋体が厚くなることもないから、機能的及び意匠的にも自由度が向上する。
【００１０】
本発明の収納体の好適な態様において、前記蓋体は前記本体の裏面付近に延びる一対の脚部を有し、各前記係止穴は各該脚部に設けられるとともに、各前記ロッドは該本体の裏面に配設されてている。
【００１１】
この収納体では、本体の裏面付近に延びる蓋体の脚部に係止穴が設けられ、この係止穴に進入／退出するフック部を有するロッドが本体の裏面に配設されているので、意匠性並びに機能的及び意匠的な自由度の向上を確実に図ることができる。
【００１２】
なお、ロッドを本体の裏面に配設する場合は、前記リンク部材及び前記付勢部材のうちの一部も本体の裏面に配設するとともに、同残部を本体の側面に配設することが好ましい。
【発明を実施するための最良の形態】
【００１３】
以下、本発明の実施形態について、図面を参照しつつ具体的に説明する。
【００１４】
本実施形態は、本発明の収納体を、自動車等の車両のインストルメントパネルに設けられるグラブボックスに適用したものである。
【００１５】
本実施形態の収納体は、図１〜図４に模式的に示されるように、開口部１１を有する本体１と、開口部１１を開閉可能に本体１に支持された蓋体２と、開口部１１を閉鎖する位置で蓋体２を本体１に係止するためのロック機構３とを備えている。
【００１６】
蓋体２は下端の両側に枢支部２１を有し、枢支部２１は本体１の開口部１１付近の下端に枢支されている。これにより、蓋体２は枢支部２１を中心に回動することで開口部１１を開閉する。
【００１７】
また、蓋体２は、下端部の両側からそれぞれ斜め上方に延びて本体１の裏面１２近傍まで延びる一対の脚部２２Ａ、２２Ｂを有している。そして、各脚部２２Ａ、２２Ｂには、それぞれ係止穴２３Ａ、２３Ｂが設けられている。
【００１８】
ロック機構３は、各係止穴２３Ａ、２３Ｂに進入／退出するフック部４Ａ、４Ｂをそれぞれ先端に有する一対のロッド５Ａ、５Ｂと、各フック部４Ａ、４Ｂが各係止穴２３Ａ、２３Ｂにそれぞれ進入する方向に各ロッド５Ａ、５Ｂを付勢する第１付勢部材６と、ロック機構３を解除操作するための操作部材７と、操作部材７に対する操作力を各ロッド５Ａ、５Ｂに伝達し、第１付勢部材６の付勢力に抗して、各フック部４Ａ、４Ｂが各係止穴２３Ａ、２３Ｂから退出する方向に各ロッド５Ａ、５Ｂを移動させるリンク部材８とを備えている。
【００１９】
フック部４Ａ、４Ｂの先端には、本体１の開口部１１から裏面１２に向かうに連れて、本体１の側面１３Ａ、１３Ｂからそれぞれ離れるように傾斜して延びる傾斜面４１Ａ、４１Ｂが設けられている。
【００２０】
ロッド５Ａ、５Ｂは、本体１の裏面１２の上方部で水平に延び、本体１の裏面１２にボルト等により固定された保持部５２に、各先端部が摺動可能に保持されている。そして、ロッド５Ａ、５Ｂの先端同士が対向する先端対向面には、ラック部５１Ａ、５１Ｂが設けられている。また、保持部５２の中央上面には、軸部５３が立設されており、この軸部５３に、ラック部５１Ａ、５１Ｂに噛み合うピニオン５４が回動可能に軸支されている。こうして、ピニオン５４とラック部５１Ａ、５１Ｂとが噛み合うことにより、一方のロッド５Ａが往復動すれば、他方のロッド５Ｂも連動して往復動するように構成されている。より具体的には、一方のロッド５Ａが図２の左から右に向かって移動すれば、ピニオン５３が図２の反時計回りに回転し、これにより他方のロッド５Ｂが図２の右から左に向かってロッド５Ａと連動して移動する。逆に、一方のロッド５Ａが図２の右から左に向かって移動すれば、ピニオン５３が図２の時計回りに回転し、これにより他方のロッド５Ｂが図２の左から右に向かってロッド５Ａと連動して移動する。すなわち、両ロッド５Ａ、５Ｂは、ラック部５１Ａ、５１Ｂとピニオン５４との噛み合いにより、互いに近接又は離隔するする方向に連動して移動するように構成されている。
【００２１】
第１付勢部材６はコイルばねよりなり、一端がロッド５Ａに設けられた第１突起片６１に固定され、他端が本体１の裏面１２に設けられた第２突起片６２に固定されている。なお、図２に示す蓋体２の閉状態で、第１付勢部材６は自然状態にあり、第１付勢部材６には付勢力が蓄えられていない。
【００２２】
操作部材７は、本体１の図２の左側方位置で、図示しないインストルメントパネルに設けられている。
【００２３】
リンク部材８は、操作部材７の裏面に連結されて本体１の左側面１３Ａに沿って本体１の開口部１１から裏面１２まで延びるリンク棒８１と、一方のロッド５Ａのフック部４Ａ付近に設けられた傾斜リンク部８２とを備えている。リンク棒８１は、コイルばねよりなる第２付勢部材８３により、本体１の裏面１２から開口部１１に向かう方向に、常に付勢されている。また、リンク棒８１の先端には、傾斜リンク部８２の傾斜面と対向する摺動傾斜面８４が設けられている。これにより、この傾斜リンク部８２の傾斜面と摺動傾斜面８４とが互いに摺動することで、リンク棒８１の本体１の奥行き方向（図２の上下方向）における移動と、ロッド５Ａの本体１の横方向（図２の左右方向）における移動とが、互いに変換されるようになっている。
【００２４】
なお、各前記ラック５１Ａ、５１Ｂ及びピニオン５３も、操作部材７に対する操作力を各ロッド５Ａ、５Ｂに伝達し、第１付勢部材６の付勢力に抗して、各フック部４Ａ、４Ｂが各係止穴２３Ａ、２３Ｂから退出する方向に各ロッド５Ａ、５Ｂを移動させるリンク部材８の構成要素となる。
【００２５】
以下、本実施形態の収納体の作動を説明する。
【００２６】
図２に示す蓋体２の閉状態では、各ロッド５Ａ、５Ｂのフック部４Ａ、４Ｂがそれぞれ蓋体２の各脚部２２Ａ、２２Ｂの係止穴２３Ａ、２３Ｂ内に進出して係合した状態にあり、ロック機構３がロック状態にある。
【００２７】
この閉状態から、操作者が操作部材７を押圧操作すると、その操作力がリンク部材８を介してロッド５Ａ、５Ｂに伝わる。すなわち、操作部材７が押圧操作されれば、第２付勢部材８３の付勢力に抗してリンク棒８１が本体１の裏面１２側に移動する。そうすると、リンク棒８１の摺動傾斜面８４と傾斜リンク部８２の傾斜面とが互いに摺動することで、リンク棒８１の裏面１２側への移動が一方のロッド５Ａの図２の右方向への移動に変換される。そうすると、ピニオン５４とラック５１Ａ、５１Ｂとの噛み合いにより、ロッド５Ａ、ロッド５Ｂが互いに近接する方向に移動する。その結果、ロッド５Ａ、ロッド５Ｂのフック部４Ａ、４Ｂがそれぞれ蓋体２の各脚部２２Ａ、２２Ｂの係止穴２３Ａ、２３Ｂから退出して、ロック機構３が解除される（図３参照）。
【００２８】
ロック機構３が解除されると、蓋体２は枢支部２１を中心に自重で下方に回転し、本体１の開口部１１を開放する（図４参照）。そして、ロック機構３が解除された後、操作者が操作部材７の押圧操作を止めれば、第２付勢部材８３の付勢力によりリンク棒８１が本体１の開口部１１側に移動する。また、この蓋体２の開状態では、蓋体２の各脚部２２Ａ、２２Ｂも下方に回転しており、ロッド５Ａ、５Ｂのフック部４Ａ、４Ｂがそれぞれ蓋体２の各脚部２２Ａ、２２Ｂと干渉していない。このため、ロッド５Ａ、ロッド５Ｂは、第１付勢部材６の付勢力により、ピニオン５４とラック５１Ａ、５１Ｂとの噛み合いを介して、互いに離隔する方向に移動し、元の状態に戻る。
【００２９】
そして、図４に示す蓋体２の開状態から閉状態に戻すには、操作者が蓋体２を持ち上げることで、蓋体２を枢支部２１を中心に上方に回転させる。蓋体２が上方に回転すれば、各脚部２２Ａ、２２Ｂも上方に回転する。そうすると、蓋体２が閉状態に戻る過程で、各脚部２２Ａ、２２Ｂの先端が各ロッド５Ａ、５Ｂのフック部４Ａ、４Ｂの傾斜面４１Ａ、４１Ｂに当接して押圧する。そうすると、各脚部２２Ａ、２２Ｂの先端が各傾斜面４１Ａ、４１Ｂ上を摺動することで、各ロッド５Ａ、５Ｂを互いに近接する方向に移動させようとする押圧力が働く。その結果、各ロッド５Ａ、５Ｂは、第１付勢部材６の付勢力に抗して互いに近接する方向に移動する。そして、操作者がそのまま蓋体２の上方への回転を継続すれば、各脚部２２Ａ、２２Ｂの係止穴２３Ａ、２３Ｂが各ロッド５Ａ、５Ｂのフック部４Ａ、４Ｂの位置まで到達した時に、第１付勢部材６の付勢力により、ピニオン５４とラック５１Ａ、５１Ｂとの噛み合いを介して、ロッド５Ａ、５Ｂが互いに離隔する方向に移動する。その結果、各ロッド５Ａ、５Ｂのフック部４Ａ、４Ｂが各脚部２２Ａ、２２Ｂの係止穴２３Ａ、２３Ｂ内に進出して、ロック機構３がロック状態とされる。
【００３０】
そして、本実施形態の収納体では、ロッド５Ａ、５Ｂ、付勢部材６及びリンク部材８が蓋体２側ではなく本体１側に設けられている。このため、蓋体２の開状態で、ロッドの先端に設けられて係止穴に進入／退出するフック部が蓋体２の側面から見えてしまうようなことがなく、意匠性が向上する。また、蓋体２が厚くなることもないから、機能的及び意匠的にも自由度が向上する。
【００３１】
特に、本実施形態の収納体では、ロッド５Ａ、５Ｂ、付勢部材６、並びにリンク部材８を構成する傾斜リンク部８２、ラック５１Ａ、５１Ｂ及びピニオン５３がいずれも本体１の裏面１２に配設されるとともに、リンク部材８を構成するリンク棒８１及び第２付勢部材８３が本体１の左側面１３Ａに配設されている。このため、意匠性並びに機能的及び意匠的な自由度の向上を確実に図ることができる。
【００３２】
なお、本体１の上面や下面にロッド５Ａ、５Ｂ、付勢部材６及びリンク部材８等を配設しても、意匠的に問題がない場合は、本体１の裏面ではなく本体１の上面や下面にこれらの部材を配設してもよい。
【図面の簡単な説明】
【００３３】
【図１】本実施形態の収納体に係り、構成要素の一部を省略しつつ模式的に表す図であり、蓋体が閉状態にある収納体を裏面側斜め上方から見た斜視図である。
【図２】本実施形態の収納体を模式的に表す図であり、蓋体が閉状態にある収納体を上方から見た平面図である。
【図３】本実施形態の収納体を模式的に表す図であり、ロック機構を解除した直後の状態にある収納体を上方から見た平面図である。
【図４】本実施形態の収納体を模式的に表す図であり、蓋体が開状態にある収納体を上方から見た平面図である。
【符号の説明】
【００３４】
１…本体              ２…蓋体                ３…ロック機構
４Ａ、４Ｂ…フック部            ５Ａ、５Ｂ…ロッド
６…第１付勢部材                ７…操作部材
８…リンク部材                  ２２Ａ、２２Ｂ…脚部
２３Ａ、２３Ｂ…係止穴
【図１】
2007145236.tif 000003
【図２】
2007145236.tif 000004
【図３】
2007145236.tif 000005
【図４】
2007145236.tif 000006